(57)【要約】【課題】テープカートリッジのテープの蓋への密着を防止する。【解決手段】テープカートリッジ１は、テープＴが巻回される２つのテープリール２，２と、テープリール２，２を収容するケース３とを備えている。ケース３は、前部においてテープの一部が露出するケース本体４と、ケース本体４の前部においてテープＴを覆って保護する開閉可能なリッド５とを有している。ケース本体４の前部には、一方のテープリール２から引き出されて他方のテープリール２へ引き込まれるテープＴが掛け渡される２つのガイド部４９，４９が設けられている。リッド５の裏面のうち、２つのガイド部４９，４９よりも外側の領域には、テープＴが該リッド５の裏面に張り付くことを防止するためのリブ５３，５３，…が設けられている。【選択図】図１
2011118969.tif 000002
【特許請求の範囲】
【請求項１】
テープが巻回される２つのテープリールと、該テープリールを収容するケースとを備えたテープカートリッジであって、
上記ケースは、前部において上記テープの一部が露出するケース本体と、該ケース本体の前部において該テープを覆って保護する開閉可能なリッドとを有し、
上記ケース本体の前部には、一方のテープリールから引き出されて他方のテープリールへ引き込まれる上記テープが掛け渡される２つのガイド部が設けられており、
上記リッドの裏面のうち、上記２つのガイド部よりも外側の領域には、上記テープが該リッドの裏面に張り付くことを防止するための密着防止構造が設けられているテープカートリッジ。
【請求項２】
請求項１に記載のテープカートリッジにおいて、
上記２つのガイド部の間隔は、上記２つのテープリールの中心間の間隔よりも狭いテープカートリッジ。
【請求項３】
請求項１又は２に記載のテープカートリッジにおいて、
上記密着防止構造は、上記リッドの裏面から突出する突起部で構成されているテープカートリッジ。
【請求項４】
請求項３に記載のテープカートリッジにおいて、
上記リッドは、上記ケース本体の前部を覆った閉状態と、該ケース本体の天板上に位置する開状態との間で回動するように構成されており、
上記突起部の先端は、上記リッドが上記閉状態と上記開状態との間で回動する間、該ケース本体よりも前方へはみ出さないテープカートリッジ。
【請求項５】
請求項１乃至４の何れか１つに記載のテープカートリッジにおいて、
上記密着防止構造は、少なくとも、上記２つのガイド部のうち供給側テープリールに近い方のガイド部よりも外側の領域に設けられているテープカートリッジ。
【発明の詳細な説明】
【技術分野】
【０００１】
本発明は、テープが巻回される２つのテープリールと、該テープリールを収容するケースとを備えたテープカートリッジに関するものである。
【背景技術】
【０００２】
従来より、テープが巻回される２つのテープリールと、該テープリールを収容するケースとを備えたテープカートリッジが知られている。
【０００３】
例えば、特許文献１に係るテープカートリッジは、前部においてテープの一部が露出するケース本体と、該ケース本体の前部において該テープを覆って保護する開閉可能なリッドとを有するケースを備えている。ケース本体の前部には、２つのガイド部が設けられている。このガイド部には、一方のテープリールから引き出されて他方のテープリールへ引き込まれるテープが、その途中で掛け渡されるようになっている。つまり、ケース本体に収容されるテープは、ケース本体の前部において一部露出するようになっている。そして、ケース前部に設けられた蓋は、この２つのガイド部に掛け渡されたテープを覆って保護する。この蓋は、テープカートリッジがカムコーダやテープドライブ等の機器に装填されたときに、機器側の機構によって開けられる。それにより、２つのガイド部に掛け渡されたテープが露出するようになっている。
【０００４】
このように構成されたテープカートリッジでは、蓋が閉じられた状態において、２つのガイド部に掛け渡されたテープと蓋とが近接している。この状態において、何らかの原因でテープリールに巻回されているテープに弛みが生じたときには、該テープが静電気により蓋の裏面に密着してしまう虞がある。このようにテープが蓋の裏面に密着した状態で、テープカートリッジがテープドライブに装填され、蓋が開かれると、テープが蓋と共にテープリールから引き出されてしまう。その結果、テープが、テープドライブ内のガイドピン等に干渉してしまう虞がある。
【０００５】
そこで、特許文献１に係るテープカートリッジにおいては、蓋の裏面のうち、テープと近接する、２つのガイド部の間に対応する領域に、テープの密着を防止するための密着防止構造を設けている。具体的には、密着防止構造は、蓋の裏面から突出する複数のリブで構成されている。このリブを設けることによって、テープが蓋の裏面に密着してしまうことを防止している。
【先行技術文献】
【特許文献】
【０００６】
【特許文献１】特開２００６−２９４１３８号公報
【発明の概要】
【発明が解決しようとする課題】
【０００７】
しかしながら、特許文献１に係る密着防止構造を設けても、テープの蓋への密着を完全には防止することをできなかった。すなわち、特許文献１に係る密着防止構造では、不十分であり、改良の余地がある。
【０００８】
本発明は、かかる点に鑑みてなされたものであり、その目的とするところは、テープカートリッジのテープの蓋への密着を防止することにある。
【課題を解決するための手段】
【０００９】
本願出願人は、テープの蓋への密着の原因を探るべく、研究を重ねた。そして、本願出願人は、鋭意研究の結果、テープの蓋への密着は、テープと蓋とが接近する部分である２つのガイド部間だけではなく、２つのガイド部よりも外側の領域でも発生していることを突き止めた。すなわち、テープリールに巻回されたテープが何らかの原因で弛んだときには、テープリールからガイド部までの間においてテープの弛みが大きくなる。その結果、２つのガイド部よりも外側の領域で、テープの蓋への密着が生じてしまう。
【００１０】
本発明は、このようなテープの蓋への密着の原因を究明したことによって初めてなされた発明である。具体的には、本発明は、テープが巻回される２つのテープリールと、該テープリールを収容するケースとを備えたテープカートリッジが対象である。そして、上記ケースは、前部において上記テープの一部が露出するケース本体と、該ケース本体の前部において該テープを覆って保護する開閉可能なリッドとを有し、上記ケース本体の前部には、一方のテープリールから引き出されて他方のテープリールへ引き込まれる上記テープが掛け渡される２つのガイド部が設けられており、上記リッドの裏面のうち、上記２つのガイド部よりも外側の領域には、上記テープが該リッドの裏面に張り付くことを防止するための密着防止構造が設けられているものである。
【発明の効果】
【００１１】
本発明によれば、密着防止構造を、蓋の裏面のうち、２つのガイド部よりも外側の領域に設けることによって、テープの蓋への密着を防止することができる。
【図面の簡単な説明】
【００１２】
【図１】本発明の実施形態に係るテープカートリッジの概略的な背面図である。
【図２】テープカートリッジの、リッドが閉じた状態の斜視図である。
【図３】テープカートリッジの、リッドが開いた状態の斜視図である。
【図４】フロントリッドを裏面から見た図である。
【図５】テープカートリッジをカムコーダに装填後、移動ガイドピンが移動する前のテープ、移動ガイドピンの状態を示す概略的な平面図である。
【図６】テープカートリッジをカムコーダに装填後、移動ガイドピンが所定の位置へ移動したときのテープ、移動ガイドピンの状態を示す概略的な平面図である。
【図７】テープカートリッジの図１のVII−VII線における一部断面図であって、（Ａ）はリッドが閉状態のときを、（Ｂ）はリッドが開動作を行っているときの状態を示す。
【図８】リブが無いリッドテープカートリッジの図７に対応する一部断面図であって、（Ａ）はリッドが閉状態のときを、（Ｂ）はリッドが開動作を行っているときの状態を示す。
【発明を実施するための形態】
【００１３】
以下、本発明の実施形態を図面に基づいて詳細に説明する。
【００１４】
《発明の実施形態１》
図１〜３に本発明の例示的な実施形態に係るテープカートリッジを示す。図１は、テープカートリッジの概略的な背面図を、図２は、テープカートリッジの、リッドが閉じた状態の斜視図を、図３は、テープカートリッジの、リッドが開いた状態の斜視図を示す。尚、テープカートリッジにおいて、「前」とは、テープカートリッジをテープドライブに装填する際の装填方向の前側を意味し、「後」とは、テープカートリッジの装填方向の後側を意味する。
【００１５】
テープカートリッジ１は、テープＴが巻回される一対の供給側テープリール２Ａ及び巻取側テープリール２Ｂ（以下、両者を区別しないときには単に「テープリール２」と称する）と、テープリール２，２を収容するケース３とを備えている。
【００１６】
テープＴは、磁気テープである。テープＴは、その一端が供給側テープリール２Ａに連結され、他端が巻取側テープリール２Ｂに連結されている。
【００１７】
ケース３は、テープリール２，２を収容するケース本体４と、ケース本体４の前部に設けられたリッド５とを有している。ケース３は、平面視長方形の扁平な箱形をしている。
【００１８】
ケース本体４は、天板４１、底板４２、前板４３、後板４４、右側板４５、左側板４６を有している。ケース本体４は、天板４１と底板４２とが接近した、平面視長方形の扁平な箱形状をしている。ケース本体４内には、２つのテープリール２，２が回転可能に収容されている。ケース本体４の底板４２には、テープリール２，２を露出させる開口４２ａ，４２ａが２つ設けられている。テープカートリッジ１がカムコーダやテープドライブ等の機器に装填されたときには、機器側の回転シャフトがこの開口を通ってテープリール２，２の挿通孔２１，２１に挿通される。
【００１９】
ケース本体４の前部中央には、テープローディング用のポケット４７が設けられている。また、ケース本体４の前部における、ポケット４７の両外側には、テープＴをケース本体４の外部へ引き出すための開口４８，４８が設けられている。さらに、ポケット４７の両端部、即ち、ポケット４７と各開口４８との境界部分には、それぞれテープＴが掛け渡されるガイド部４９，４９が設けられている。つまり、供給側テープリール２Ａから開口４８を介してケース本体４の外部に引き出されたテープＴは、一方のガイド部４９に巻き掛けられ、他方のガイド部４９へ向かって延びて、該他方のガイド部４９に巻き掛けられて、開口４８を介してケース本体４内の巻取側テープリール２Ｂに引き込まれている。ここで、ガイド部４９のうち、テープＴが巻き掛けられる部分、即ち、開口４８側の部分が曲面となっている。これにより、ガイド部４９に巻き掛けられるテープＴを傷つけないようにしている。これら２つのガイド部４９，４９は、ケース本体４の左右方向において、テープリール２，２の中心よりも内側に位置している。つまり、２つのガイド部４９，４９の間隔は、テープリール２，２の中心間の間隔よりも狭くなっている（図１参照）。
【００２０】
上記リッド５は、ケース本体４の前部に設けられており、ケース本体４の前部を覆うようになっている。つまり、ケース本体４のポケット４７，開口４８，４８及びガイド部４９，４９並びにガイド部４９，４９に掛け渡されたテープＴは、リッド５で覆われている。
【００２１】
このリッド５は、フロントリッド５１と、該フロントリッド５１と連動するトップリッド５２とを有している。
【００２２】
詳しくは、フロントリッド５１は、ケース本体４の前板４３に対向して延びる本体部５１ａと、本体部５１ａの長手方向両端部から略直角に屈曲して延びる連結部５１ｂ，５１ｂと、連結部５１ｂ，５１ｂのそれぞれの内側に設けられた軸ピン５１ｃ，５１ｃとを有している。本体部５１ａは、ケース本体４の前板４３と略同じ長さ及び幅を有している。連結部５１ｂ，５１ｂはそれぞれ、ケース本体４の右側板４５の前端部及び左側板４６の前端部に回動自在に取り付けられている。こうして、フロントリッド５１は、ケース本体４の前部において、ケース本体４の左右方向に延びる軸回りに回動自在に取り付けられている。詳しくは、フロントリッド５１は、図２に示すように、ケース本体４の前板４３と対向して該前板４３を覆った状態（この状態を閉状態という）と、図３に示すように、ケース本体４の天板４１の前端部に乗り上げて前板４３を露出させる状態（この状態を開状態という）との間で回動することができる。ここで、フロントリッド５１は、開状態から閉状態の方向へバネ（図示省略）によって付勢されている。また、フロントリッド５１が閉状態のとき、フロントリッド５１の、ケース本体４の底板４２側の端縁が、該底板４２の先端縁に設けられたストッパ４２ｂ，４２ｂ，…と当接するようになっている。これにより、フロントリッド５１は、ケース本体４の底板４２側へ回り込むことがなく、該バネの付勢力に抗して閉状態に維持される。こうして、フロントリッド５１は、通常時には閉状態になっている。
【００２３】
また、トップリッド５２は、フロントリッド５１と略同じ長さを有している。トップリッド５２は、フロントリッド５１の本体部５１ａの一対の長辺部のうち、閉状態においてケース本体４の天板４１側に位置する長辺部に連結され、ケース本体４の天板４１の前端部上に位置している。トップリッド５２は、フロントリッド５１の該長辺部に沿って延びる軸回りに回動自在に連結されている。また、トップリッド５２の長手方向両端部にはカムピン（図示省略）が設けられている一方、ケース本体４の右側板４５の前端部及び左側板４６の前端部には該カムピンが嵌るカム溝（図示省略）が形成されている。このように構成されたトップリッド５２は、フロントリッド５１が閉状態のときには、ケース本体４の天板４１の最前部に位置している。そして、フロントリッド５１が開状態になると、トップリッド５２は、天板４１上に移動するフロントリッド５１に連動して、カム溝に案内されながら天板４１上を最前部から後方へ移動する。
【００２４】
続いて、このように構成されたテープカートリッジ１がカムコーダ９内に装填されたときの状態及び動作について図４〜８を参照しながら説明する。図４は、フロントリッド５１を裏面から見た状態を示し、図５は、テープカートリッジ１をカムコーダ９内に装填後、移動ガイドピン９１，９１，…がポケット４７内に挿通されたときの、テープＴ、移動ガイドピン９１，９１，…の状態を示し、図６は、テープカートリッジ１をカムコーダ９内に装填後、移動ガイドピン９１，９１，…が移動したときのテープＴ及び移動ガイドピン９１，９１，…の状態を示し、図７は、リッド５が開くときの様子を、図８は、リブが設けられていないリッドが開くときの様子を示す。尚、図５，６においては、テープカートリッジのうち、テープリール２，２のハブ、テープＴ及びガイド部４９，４９のみを図示している。
【００２５】
カムコーダ９内には、移動ガイドピン９１，９１，…、固定ガイドピン９２、複数のヘッド９３，９３，…、テープカートリッジ１のリッド５を開閉する開閉機構（図示省略）、テープリール２，２を回転させる回転シャフト（図示省略）が存在している。テープカートリッジ１がカムコーダ９内に装填されると、カムコーダ９側の開閉機構によってリッド５が開かれる。そして、テープカートリッジ１の下方からポケット４７内に移動ガイドピン９１，９１，…が挿通される。また、テープリール２，２のハブには、回転シャフトが挿通される。続いて、移動ガイドピン９１，９１，…が所定の位置へ所定の軌跡で移動し、それにより、テープＴが供給側テープリール２Ａから引き出される。引き出されたテープＴは、固定ガイドピン９２に巻き掛けられると共に、ヘッド９３，９３，…に当接するようになる。こうして、所定のテープパスが形成される。このとき、テープＴは、ケース本体４のガイド部４９，４９には当接していない。この状態で、回転シャフトが回転駆動されることで、供給側テープリール２からテープＴが引き出され、該テープＴは所定のテープパスに沿って移動して、巻取側テープリール２Ｂへ巻き取られる。
【００２６】
ここで、リッド５の裏面には、図４に示すように、テープＴのリッド５への密着を防止するために、該裏面から突出する複数のリブ５３，５３，…が設けられている。このリブ５３が突起部及び密着防止構造を構成する。
【００２７】
すなわち、テープカートリッジ１内において、テープＴのテープリール２への巻回が弛む場合がある。このとき、リッド５が静電気を帯びていると、テープＴが静電気によりリッド５に引き寄せられる。ここで、図８に示すような、裏面にリブが設けられていないリッド５’の場合には、図８（Ａ）に示すように、テープＴがリッド５’の裏面に密着してしまう。この状態でリッド５’が開かれると、テープＴがリッド５’と共に引き出され、図８（Ｂ）に示すように、テープＴがケース３よりも前方にはみ出す場合がある。その結果、テープＴがカムコーダ９内の例えば固定ガイドピン９２に干渉してしまう虞がある。さらには、それが原因で、テープＴが損傷したり、テープ詰まりが生じたりする虞がある。カムコーダ９においては、通常、テープカートリッジ１が装填されても、テープリール２，２の巻取りを行わないため、このような問題が特に重要となる。
【００２８】
それに対して、本実施形態では、リッド５の裏面のうち、供給側テープリール２Ａ側であって、ケース本体４のガイド部４９よりも長手方向外側の領域に、５本のリブ５３，５３，…が設けられている。すなわち、リブ５３，５３，…は、フロントリッド５１の裏面において、ケース本体４の供給側の開口４８と対向する位置に設けられている。各リブ５３は、フロントリッド５１の幅方向に延びており、それらがフロントリッド５１の長手方向に５つ並んでいる。
【００２９】
このリブ５３，５３，…によって、テープＴのリッド５への密着を防止することができる。すなわち、テープリール２に巻回されたテープＴが弛んで、静電気によりリッド５に引きつけられたとしても、図７（Ａ）に示すように、テープＴはリブ５３，５３，…の先端５３ａ，５３ａ，…に張り付くことになる。これにより、テープＴがリッド５の裏面に密着、即ち、面接触した状態で張り付く場合と比較して、テープＴとリッド５との接触面積を可及的に小さくすることができる。こうして、テープＴとリッド５との接触面積が小さくなると、テープＴをリッド５へ張り付ける力も小さくなるため、リッド５が開くときに、テープＴがリッド５につられて引き出されることが防止される。
【００３０】
ここで、リブ５３の先端５３ａは、リッド５の閉状態において、ケース本体４の開口４８内へ少し侵入している。そして、このリブ５３の先端５３ａは、リッド５が閉状態から開状態へ回動する際に、ケース本体４の底板４２の前端よりも前方へはみ出さない。換言すると、リブ５３の先端５３ａの、リッド５が閉状態から開状態へ回動する際の軌跡Ｙは、ケース本体４の底板４２の前端よりも前方へはみ出さないようになっている。すなわち、テープカートリッジ１を底面側から厚み方向に向かって見たときに、リブ５３の先端５３ａは、リッド５が閉状態から開状態へ移動する間、ケース本体４の底板４２で隠れて見えないようになっている。詳しくは、テープカートリッジ１を背面側から厚み方向に向かって（図７（Ａ）、（Ｂ）の矢印Ｘの方向に）見ると、リッド５が閉状態のときには、リブ５３の先端５３ａは、ケース本体４の開口４８内へ少し侵入しているため、ケース本体４の底板４２で隠れて見えない。そして、リッド５が閉状態から開状態へ回動するにつれて、リッド５（具体的には、フロントリッド５１）の裏面が見えるようになり、リブ５３の基端部も見えるようになる（図７（Ｂ）参照）。しかしながら、リブ５３の基端部が見えたとしても、リブ５３の先端５３ａは、ケース本体４の底板４２で常に隠れている。そのため、仮に、リッド５が開くときにテープＴがリッド５と共に引き出されたとしても、リブ５３の先端５３ａに張り付いたテープＴは、テープカートリッジ１を背面側から厚み方向に向かって見て、ケース本体４の底板４２で隠れて見えない。つまり、テープＴがリッド５に張り付いてリッド５の開動作と共に引き出されても、テープＴはケース本体４の底板４２よりも前方へはみ出さない（あるいは、はみ出す量が抑制される）。これにより、テープＴが引き出されたとしても、テープＴがカムコーダ９内の固定ガイドピン９２等に干渉することを防止することができる。
【００３１】
したがって、本実施形態によれば、リッド５の裏面のうち、ケース本体４の２つのガイド部４９，４９の外側の領域にリブ５３，５３，…を設けることによって、テープＴのリッド５への密着を防止することができる。すなわち、テープリール２，２に巻回されたテープＴが何らかの原因で弛んだときには、２つのガイド部４９，４９の間だけでなく、テープリール２からガイド部４９までの間においてテープＴの弛みが大きくなる。特に、本実施形態のように、２つのガイド部４９，４９の間隔が２つのテープリール２，２の中心間の間隔よりも狭い構成（さらに詳しくは、ガイド部４９がテープリール２の中心よりも横方向（左右方向）において内側に位置する構成）においては、ガイド部４９の外側の領域で、弛んだテープＴが大きく膨らむ。さらに、本実施形態のように、テープカートリッジ１をカムコーダ９等の機器へ出し入れする際に全てのテープＴが供給側テープリール２Ａに巻回されるテープカートリッジ１においては、供給側のガイド部４９の外側の領域でのテープＴの弛みが大きくなる。
【００３２】
それに対して、本実施形態では、リッド５の裏面のうち、ケース本体４の２つのガイド部４９，４９の外側の領域にリブ５３，５３，…を設けることによって、弛んだテープＴがリッド５に張り付いたとしても、リブ５３，５３，…の先端に張り付くようにすることができる。つまり、テープＴがリッド５に対して間欠的に張り付き、テープＴがリッド５の裏面に密着することを防止することができる。これにより、テープＴをリッド５に張り付けておく力が小さくなるため、リッド５が開いたとしても、テープＴがリッド５から離れ易くなり、リッド５の開動作と共に引き出されることを防止することができる。その結果、テープＴが固定ガイドピン９２等の機器側の部材と干渉することを防止することができる。
【００３３】
また、リブ５３の先端５３ａをリッド５が閉状態から開状態へ移動する間、ケース本体４よりも前方へはみ出さないようにすることによって、仮にテープＴがリブ５３，５３，…の先端５３ａ，５３ａ，…に張り付いてリッド５の開動作と共に引き出されたとしても、該テープＴがケース本体４よりも前方へはみ出すことが抑制されるため、テープＴが固定ガイドピン９２等の機器側の部材と干渉することをより一層、防止することができる。
【００３４】
《その他の実施形態》
本発明は、上記実施形態について、以下のような構成としてもよい。
【００３５】
例えば、上記実施形態では、リブ５３，５３，…を、リッド５の裏面のうち、供給側テープリール２Ａ側であって、ケース本体４のガイド部４９よりも長手方向外側の領域だけに設けているが、これに限られるものではない。例えば、リブ５３，５３，…を巻取側テープリール２Ｂ側の、ガイド部４９よりも長手方向外側の領域にも設けてもよい。さらに、リブ５３，５３，…を２つのガイド部４９，４９間の領域に設けてもよい。
【００３６】
また、上記実施形態では、密着防止構造として、リブ５３，５３，…を採用しているが、これに限られるものではない。例えば、単一のリブ５３だけでもよいし、リッド５の裏面に１つ又は複数の凹溝を設けるように構成してもよい。さらに、リッド５の裏面のうち一部に他の部分よりも凹んだ凹部を形成し、それを密着防止構造としてもよい。さらにまた、リッド５の裏面にシボ加工を施してもよい。また、密着防止構造としてリブを採用する場合であっても、リブは、リッド５の幅方向に延びるものに限定されない。リブは、リッド５の幅方向に対して傾斜してもよく、長手方向に延びるものであってもよい。また、リブは、直線状である必要はなく、曲線状であってもよい。
【００３７】
さらに、リッド５は、テープＴの張り付きをさらに抑制するために、帯電防止材料で構成してもよい。こうすることで、テープＴのリッド５への張り付きをより一層防止することができる。
【００３８】
尚、以上の実施形態は、本質的に好ましい例示であって、本発明、その適用物、あるいはその用途の範囲を制限することを意図するものではない。
【産業上の利用可能性】
【００３９】
以上説明したように、本発明は、テープが巻回される２つのテープリールと、該テープリールを収容するケースとを備えたテープカートリッジについて有用である。
【符号の説明】
【００４０】
Ｔ      テープ
１      テープカートリッジ
２      テープリール
３      ケース
４      ケース本体
４９    ガイド部
５      リッド
５３    リブ（突起部、密着防止構造）
【図１】
2011118969.tif 000003
【図２】
2011118969.tif 000004
【図３】
2011118969.tif 000005
【図４】
2011118969.tif 000006
【図５】
2011118969.tif 000007
【図６】
2011118969.tif 000008
【図７】
2011118969.tif 000009
【図８】
2011118969.tif 000010